(57)【特許請求の範囲】
【請求項１】
低温液化ガスを当該低温液化ガスの沸点よりも高い沸点を有する中間媒体を用いて気化させる中間媒体式ガス気化器であって、
前記中間媒体を収容する収容部と、
前記収容部内に配置されており、熱源媒体が導入される中間媒体蒸発部と、
前記収容部内に配置されており、前記低温液化ガスが導入される低温液化ガス気化部と、
前記低温液化ガス気化部での前記低温液化ガスの気化により生じたガスが導入される筐体と、
前記筐体内に配置されており、前記熱源媒体が導入されるガス加熱部と、
前記中間媒体蒸発部へ前記熱源媒体を供給する第１熱源媒体供給流路と、
前記ガス加熱部へ前記熱源媒体を供給する第２熱源媒体供給流路と、
前記低温液化ガス気化部から流出したガスを前記筐体に導くガス流路と、を備え、
前記中間媒体蒸発部は、当該中間媒体蒸発部内を流れる前記熱源媒体と当該中間媒体蒸発部外に存在する前記中間媒体とを熱交換させることによって前記中間媒体の少なくとも一部を蒸発させ、
前記低温液化ガス気化部は、当該低温液化ガス気化部内を流れる前記低温液化ガスと当該低温液化ガス気化部外に存在する前記中間媒体とを熱交換させることによって前記低温液化ガスの少なくとも一部を気化させ、
前記ガス加熱部は、当該ガス加熱部内を流れる前記熱源媒体と当該ガス加熱部外に存在する前記ガスとを熱交換させることによって前記ガスを加熱し、
前記筐体は、
前記ガス加熱部を収容する胴部と、
前記胴部の一方側の端部に設けられており、前記ガスを前記胴部内に流入させる第１流入部と、
前記胴部の他方側の端部に設けられており、前記ガスを前記胴部内に流入させる第２流入部と、
前記胴部のうち前記一方側の端部と前記他方側の端部との間の部位に設けられており、前記ガスを前記胴部から流出させる流出部と、を有し、
前記ガス流路は、
前記低温液化ガス気化部から流出したガスの一部を前記第１流入部に供給する第１ガス流路と、
前記低温液化ガス気化部から流出したガスの残部を前記第２流入部に供給する第２ガス流路と、を有する、中間媒体式ガス気化器。
【請求項２】
請求項１に記載の中間媒体式ガス気化器において、
前記熱源媒体を前記第１熱源媒体供給流路と前記第２熱源媒体供給流路とに供給する共通供給流路と、
前記第１熱源媒体供給流路に設けられており、開度調整が可能な第１開閉弁と、
前記第２熱源媒体供給流路に設けられており、開度調整が可能な第２開閉弁と、をさらに備え、
各開閉弁の開度は、前記中間媒体蒸発部への前記熱源媒体の供給量の前記ガス加熱部への前記熱源媒体の供給量に対する供給割合が３以上５以下となるように設定されている、中間媒体式ガス気化器。
【請求項３】
請求項２に記載の中間媒体式ガス気化器において、
前記ガス加熱部から流出した熱源媒体を前記第１熱源媒体供給流路に合流させる熱源媒体合流流路をさらに備える、中間媒体式ガス気化器。
【請求項４】
請求項１ないし３のいずれかに記載の中間媒体式ガス気化器において、
前記胴部の長さの前記胴部の径に対する割合は、５以上１０以下に設定されている、中間媒体式ガス気化器。
【請求項５】
請求項１ないし４のいずれかに記載の中間媒体式ガス気化器において、
前記胴部の径の前記収容部の径に対する割合は、０．５以下に設定されている、中間媒体式ガス気化器。
【請求項６】
請求項１ないし５のいずれかに記載の中間媒体式ガス気化器において、
前記収容部の長さの前記胴部の長さに対する割合は、１．３以下に設定されている、中間媒体式ガス気化器。
【請求項７】
請求項１ないし６のいずれかに記載の中間媒体式ガス気化器において、
前記胴部の一方側の端部に接続され、前記ガス加熱部内と連通する入口室と、
前記胴部の一方側の端部に接続され、前記ガス加熱部内と連通する出口室と、
前記胴部の一方側の端部に接続され、前記入口室と前記出口室とを仕切る仕切壁と、
前記胴部の他方側の端部に接続され、前記ガス加熱部内と連通する折り返し室と、をさらに備える、中間媒体式ガス気化器。
【請求項８】
低温液化ガスを当該低温液化ガスの沸点よりも高い沸点を有する中間媒体を用いて気化させる中間媒体式ガス気化器であって、
前記中間媒体を収容する収容部と、
前記収容部内に配置されており、熱源媒体が導入される中間媒体蒸発部と、
前記収容部内に配置されており、前記低温液化ガスが導入される低温液化ガス気化部と、
前記低温液化ガス気化部での前記低温液化ガスの気化により生じたガスが導入される筐体と、
前記筐体内に配置されており、前記熱源媒体が導入されるガス加熱部と、
前記中間媒体蒸発部へ前記熱源媒体を供給する第１熱源媒体供給流路と、
前記ガス加熱部へ前記熱源媒体を供給する第２熱源媒体供給流路と、
前記低温液化ガス気化部から流出したガスを前記筐体に導くガス流路と、を備え、
前記中間媒体蒸発部は、当該中間媒体蒸発部内を流れる前記熱源媒体と当該中間媒体蒸発部外に存在する前記中間媒体とを熱交換させることによって前記中間媒体の少なくとも一部を蒸発させ、
前記低温液化ガス気化部は、当該低温液化ガス気化部内を流れる前記低温液化ガスと当該低温液化ガス気化部外に存在する前記中間媒体とを熱交換させることによって前記低温液化ガスの少なくとも一部を気化させ、
前記ガス加熱部は、当該ガス加熱部内を流れる前記熱源媒体と当該ガス加熱部外に存在する前記ガスとを熱交換させることによって前記ガスを加熱し、
前記筐体は、
前記ガス加熱部を収容する胴部と、
前記胴部の一方側の端部に設けられており、前記ガスを前記胴部から流出させる第１流出部と、
前記胴部の他方側の端部に設けられており、前記ガスを前記胴部から流出させる第２流出部と、
前記胴部のうち前記一方側の端部と前記他方側の端部との間の部位に設けられており、前記ガスを前記胴部内に流入させる流入部と、を有し、
前記ガス流路の下流側の端部は、前記流入部に接続され、
前記流入部から流入した前記ガスが前記第１流出部及び前記第２流出部から均等に流出するように前記第１流出部、前記第２流出部及び前記流入部が前記筐体に設けられている
中間媒体式ガス気化器。
【発明の詳細な説明】
【技術分野】
【０００１】
本発明は、中間媒体式ガス気化器に関するものである。
【背景技術】
【０００２】
従来、液化天然ガス（ＬＮＧ）等の低温液化ガスを中間媒体（プロパン等）を用いて気化させる中間媒体式のガス気化器（ＩＦＶ）が知られている。例えば、特許文献１には、中間媒体を収容するシェルと、中間媒体蒸発管と、伝熱管と、ＮＧ加温器と、ＮＧ導管と、熱源媒体供給管と、熱源媒体導管と、を備えるガス気化器が開示されている。
【０００３】
中間媒体蒸発管は、シェル内の下部に配置されている。中間媒体蒸発管内には、熱源媒体が供給される。中間媒体蒸発管は、当該中間媒体蒸発管内を流れる熱源媒体と液相の中間媒体とを熱交換させることによって中間媒体を蒸発させる。
【０００４】
伝熱管は、シェル内の上部に配置されている。伝熱管内には、ＬＮＧが供給される。伝熱管は、当該伝熱管内を流れるＬＮＧと気相の中間媒体とを熱交換させることによってＬＮＧを気化させる。
【０００５】
ＮＧ加温器は、複数の熱源管と、これらの熱源管を収容する筐体と、を有している。各熱源管には、熱源媒体供給管を通じて熱源媒体が供給され、筐体内には、ＮＧ導管を通じて伝熱管から流出したＮＧが導かれる。筐体は、シェルから分離している。
【０００６】
熱源媒体導管は、ＮＧ加温器の熱源管から流出した熱源媒体をシェル内の中間媒体蒸発管内に導く。つまり、熱源媒体は、熱源管及び中間媒体蒸発管をこの順に直列に流れる。
【先行技術文献】
【特許文献】
【０００７】
【特許文献１】特開２００１−２００９９５号公報
【発明の概要】
【発明が解決しようとする課題】
【０００８】
特許文献１に記載される中間媒体式ガス気化器では、ＮＧ加温器が大型化する。具体的に、熱源管においてＮＧを加熱するのに必要な熱量と、中間媒体蒸発管において液相の中間媒体を蒸発させるのに必要な熱量と、では、前者の方が小さいものの、上記中間媒体式ガス気化器では、熱源媒体が熱源管及び中間媒体蒸発管を直列に流れるので、熱源管には、中間媒体蒸発管への流量と同じ流量の熱源媒体が供給される。このため、加温器の熱源管の管数が多くなるので、筐体（ＮＧ加温器）が大径化する。
【０００９】
本発明の目的は、筐体の小径化が可能な中間媒体式ガス気化器を提供することである。
【課題を解決するための手段】
【００１０】
前記課題を解決するために、熱源管（以下、「ガス加熱部」という）及び中間媒体蒸発管（以下、「中間媒体蒸発部」という）に対して並列に熱源媒体を供給すること、つまり、中間媒体蒸発部に熱源媒体を供給する第１熱源媒体供給流路と、ガス加熱部に熱源媒体を供給する第２熱源媒体供給流路と、を設けることが考えられる。このようにすれば、中間媒体蒸発部に必要な熱源媒体の流量とは独立してガス加熱部に供給する熱源媒体の流量を設定することが可能となる。これにより、ガス加熱部の熱源管の本数の低減が可能となるので、加温器の筐体の小径化が可能となる。ただし、筐体の小径化により、筐体内を流れるガスの流速が大きくなるので、当該ガスのエネルギーによってガス加熱部が振動する懸念がある。
【００１１】
そこで、鋭意検討した結果、本発明者らは、前記エネルギーは、筐体の断面あたりのガスの流量の増減に伴い増減するので、この流量を減らすこと、つまり、低温液化ガス気化部から流出したガスの全量が一様に筐体内を流れるのではなく筐体内におけるガスの流路を分けることにより、ガス加熱部の振動を抑制可能であることに想到した。
【００１２】
本発明は、このような観点からなされたものであり、低温液化ガスを当該低温液化ガスの沸点よりも高い沸点を有する中間媒体を用いて気化させる中間媒体式ガス気化器であって、前記中間媒体を収容する収容部と、前記収容部内に配置されており、熱源媒体が導入される中間媒体蒸発部と、前記収容部内に配置されており、前記低温液化ガスが導入される低温液化ガス気化部と、前記低温液化ガス気化部での前記低温液化ガスの気化により生じたガスが導入される筐体と、前記筐体内に配置されており、前記熱源媒体が導入されるガス加熱部と、前記中間媒体蒸発部へ前記熱源媒体を供給する第１熱源媒体供給流路と、前記ガス加熱部へ前記熱源媒体を供給する第２熱源媒体供給流路と、前記低温液化ガス気化部から流出したガスを前記筐体に導くガス流路と、を備え、前記中間媒体蒸発部は、当該中間媒体蒸発部内を流れる前記熱源媒体と当該中間媒体蒸発部外に存在する前記中間媒体とを熱交換させることによって前記中間媒体の少なくとも一部を蒸発させ、前記低温液化ガス気化部は、当該低温液化ガス気化部内を流れる前記低温液化ガスと当該低温液化ガス気化部外に存在する前記中間媒体とを熱交換させることによって前記低温液化ガスの少なくとも一部を気化させ、前記ガス加熱部は、当該ガス加熱部内を流れる前記熱源媒体と当該ガス加熱部外に存在する前記ガスとを熱交換させることによって前記ガスを加熱し、前記筐体は、前記ガス加熱部を収容する胴部と、前記胴部の一方側の端部に設けられており、前記ガスを前記胴部内に流入させる第１流入部と、前記胴部の他方側の端部に設けられており、前記ガスを前記胴部内に流入させる第２流入部と、前記胴部のうち前記一方側の端部と前記他方側の端部との間の部位に設けられており、前記ガスを前記胴部から流出させる流出部と、を有し、前記ガス流路は、前記低温液化ガス気化部から流出したガスの一部を前記第１流入部に供給する第１ガス流路と、前記低温液化ガス気化部から流出したガスの残部を前記第２流入部に供給する第２ガス流路と、を有する、中間媒体式ガス気化器を提供する。
【００１３】
本中間媒体式ガス気化器では、第１熱源媒体供給流路及び第２熱源媒体供給流路によりガス加熱部及び中間媒体蒸発部に対して並列的に熱源媒体が供給されるので、筐体の小径化が可能となり、しかも、筐体内におけるガスの流路が分かれているので、ガス加熱部の振動が抑制される。具体的に、低温液化ガス気化部から流出したガスの一部は、第１ガス流路及び第１流入部から胴部内に流入してから流出部に向かう一方、前記ガスの残部は、第２ガス流路及び第２流入部から胴部内に流入してから流出部に向かうので、胴部の断面あたりのガスの流量が低減する。よって、ガス加熱部の振動が抑制される。
【００１４】
この場合において、前記熱源媒体を前記第１熱源媒体供給流路と前記第２熱源媒体供給流路とに供給する共通供給流路と、前記第１熱源媒体供給流路に設けられており、開度調整が可能な第１開閉弁と、前記第２熱源媒体供給流路に設けられており、開度調整が可能な第２開閉弁と、をさらに備え、各開閉弁の開度は、前記中間媒体蒸発部への前記熱源媒体の供給量の前記ガス加熱部への前記熱源媒体の供給量に対する供給割合が３以上５以下となるように設定されていることが好ましい。
【００１５】
このようにすれば、筐体の小径化とガス加熱部の振動の抑止との双方が有効に達成される。
【００１６】
さらにこの場合において、前記ガス加熱部から流出した熱源媒体を前記第１熱源媒体供給流路に合流させる熱源媒体合流流路をさらに備えることが好ましい。
【００１７】
このようにすれば、中間媒体蒸発部への熱源媒体の供給量が確保されるので、前記供給割合の範囲内においてガス加熱部への熱源媒体の供給量を増やすことができる。これにより、ガス加熱部において熱源媒体がガスに与える熱量が増加するので、ガス加熱部の伝熱面積を小さくする等ガス加熱部の設計自由度が向上する。
【００１８】
また、前記中間媒体式ガス気化器において、前記胴部の長さの前記胴部の径に対する割合は、５以上１０以下に設定されていることが好ましい。
【００１９】
また、前記中間媒体式ガス気化器において、前記胴部の径の前記収容部の径に対する割合は、０．５以下に設定されていることが好ましい。
【００２０】
また、前記中間媒体式ガス気化器において、前記収容部の長さの前記胴部の長さに対する割合は、１．３以下に設定されていることが好ましい。
【００２１】
また、前記中間媒体式ガス気化器において、前記胴部の一方側の端部に接続され、前記ガス加熱部内と連通する入口室と、前記胴部の一方側の端部に接続され、前記ガス加熱部内と連通する出口室と、前記胴部の一方側の端部に接続され、前記入口室と前記出口室とを仕切る仕切壁と、前記胴部の他方側の端部に接続され、前記ガス加熱部内と連通する折り返し室と、をさらに備えてもよい。
【００２２】
このようにすれば、ガス加熱部の長さが略半分となるので、加温器全体の長さが短縮される。
【００２３】
また、本発明は、低温液化ガスを当該低温液化ガスの沸点よりも高い沸点を有する中間媒体を用いて気化させる中間媒体式ガス気化器であって、前記中間媒体を収容する収容部と、前記収容部内に配置されており、熱源媒体が導入される中間媒体蒸発部と、前記収容部内に配置されており、前記低温液化ガスが導入される低温液化ガス気化部と、前記収容部から分離しており、前記低温液化ガス気化部での前記低温液化ガスの気化により生じたガスが導入される筐体と、前記筐体内に配置されており、前記熱源媒体が導入されるガス加熱部と、前記中間媒体蒸発部へ前記熱源媒体を供給する第１熱源媒体供給流路と、前記ガス加熱部へ前記熱源媒体を供給する第２熱源媒体供給流路と、前記低温液化ガス気化部から流出したガスを前記筐体に導くガス流路と、を備え、前記中間媒体蒸発部は、当該中間媒体蒸発部内を流れる前記熱源媒体と当該中間媒体蒸発部外に存在する前記中間媒体とを熱交換させることによって前記中間媒体の少なくとも一部を蒸発させ、前記低温液化ガス気化部は、当該低温液化ガス気化部内を流れる前記低温液化ガスと当該低温液化ガス気化部外に存在する前記中間媒体とを熱交換させることによって前記低温液化ガスの少なくとも一部を気化させ、前記ガス加熱部は、当該ガス加熱部内を流れる前記熱源媒体と当該ガス加熱部外に存在する前記ガスとを熱交換させることによって前記ガスを加熱し、前記筐体は、前記ガス加熱部を収容する胴部と、前記胴部の一方側の端部に設けられており、前記ガスを前記胴部から流出させる第１流出部と、前記胴部の他方側の端部に設けられており、前記ガスを前記胴部から流出させる第２流出部と、前記胴部のうち前記一方側の端部と前記他方側の端部との間の部位に設けられており、前記ガスを前記胴部内に流入させる流入部と、を有し、前記ガス流路の下流側の端部は、前記流入部に接続され、前記流入部から流入した前記ガスが前記第１流出部及び前記第２流出部から均等に流出するように前記第１流出部、前記第２流出部及び前記流入部が前記筐体に設けられている中間媒体式ガス気化器を提供する。
【００２４】
本中間媒体式ガス気化器においても、筐体の小径化が可能となり、しかも、筐体内におけるガスの流路が分かれているので、ガス加熱部の振動が抑制される。
【発明の効果】
【００２５】
以上のように、本発明によれば、筐体の小径化が可能でかつガス加熱部の振動を抑制可能な中間媒体式ガス気化器を提供することができる。
【図面の簡単な説明】
【００２６】
【図１】本発明の一実施形態の中間媒体式ガス気化器の構成の概略を示す図である。
【図２】図１に示される中間媒体式ガス気化器の平面図である。
【図３】図１に示される中間媒体式ガス気化器の変形例を示す図である。
【図４】収容部と筐体との配置関係の変形例を示す図である。
【図５】加温器の変形例を示す図である。
【発明を実施するための形態】
【００２７】
本発明の一実施形態の中間媒体式ガス気化器１について、図１〜図２を参照しながら説明する。中間媒体式ガス気化器１は、低温液化ガスを当該低温液化ガスの沸点よりも高い沸点を有する中間媒体を用いて気化させる中間媒体式ガス気化器（ＩＦＶ）である。本実施形態では、低温液化ガスとして液化天然ガス（ＬＮＧ）が用いられ、中間媒体としてプロパンが用いられている。ただし、低温液化ガスは、エチレン、液化酸素、液化窒素等であってもよい。また、中間媒体は、プロパンに限られない。この中間媒体式ガス気化器１では、中間媒体の加熱は、熱源媒体（海水や大気等）により行われる。
【００２８】
図１に示されるように、中間媒体式ガス気化器１は、中間媒体２と、中間媒体２を収容する収容部１０と、中間媒体蒸発部Ｅ１と、低温液化ガス気化部Ｅ２と、加温器３０と、第１熱源媒体供給流路４１と、第２熱源媒体供給流路４２と、ガス流路５０と、を備えている。
【００２９】
収容部１０は、中間媒体２、中間媒体蒸発部Ｅ１及び低温液化ガス気化部Ｅ２をまとめて収容する単一のケーシングにより形成されている。収容部１０は、円筒状に形成されている。
【００３０】
中間媒体蒸発部Ｅ１は、収容部１０内に配置されている。より具体的には、中間媒体蒸発部Ｅ１は、収容部１０内の下部（液相の中間媒体２に浸る位置）に配置されている。中間媒体蒸発部Ｅ１は、複数の伝熱管の束により構成されている。中間媒体蒸発部Ｅ１内に熱源媒体が導入される。中間媒体蒸発部Ｅ１は、当該中間媒体蒸発部Ｅ１内を流れる熱源媒体と収容部１０内の下部に存在する液相の中間媒体２とを熱交換させることによって中間媒体２の少なくとも一部を蒸発させる。
【００３１】
低温液化ガス気化部Ｅ２は、収容部１０内に配置されている。より具体的には、低温液化ガス気化部Ｅ２は、収容部１０内の上部（気相の中間媒体２が存在する領域）に配置されている。本実施形態では、低温液化ガス気化部Ｅ２は、Ｕ字状に形成された伝熱管により構成されている。低温液化ガス気化部Ｅ２内に低温液化ガスが導入される。低温液化ガス気化部Ｅ２は、当該低温液化ガス気化部Ｅ２内を流れる低温液化ガスと収容部１０内の気相の中間媒体２とを熱交換させることによって当該低温液化ガスの少なくとも一部を気化させる。
【００３２】
収容部１０の一方側の端部の下部には、互いに仕切板２０で仕切られた入口室２１及び出口室２２が接続されている。入口室２１及び出口室２２は、それぞれ中間媒体蒸発部Ｅ１内と連通している。収容部１０の他方側の端部の下部には、折り返し室２３が接続されている。折り返し室２３は、中間媒体蒸発部Ｅ１内と連通している。すなわち、中間媒体蒸発部Ｅ１は、いわゆる２パス方式である。
【００３３】
収容部１０の上部には、互いに仕切板２４で仕切られた入口室２５及び出口室２６が接続されている。低温液化ガス気化部Ｅ２の一端は、低温液化ガス気化部Ｅ２内と入口室２５内とが連通するように入口室２５に接続されている。低温液化ガス気化部Ｅ２の他端は、低温液化ガス気化部Ｅ２内と出口室２６内とが連通するように出口室２６に接続されている。
【００３４】
加温器３０は、低温液化ガスの気化により生じたガスを加熱する。加温器３０は、熱源媒体が導入されるガス加熱部Ｅ３と、ガス加熱部Ｅ３を収容する筐体３１と、を有している。
【００３５】
ガス加熱部Ｅ３は、複数の伝熱管の束により構成されている。ガス加熱部Ｅ３は、当該ガス加熱部Ｅ３内を流れる熱源媒体と筐体３１内に供給されたガスとを熱交換させることによってガスを加熱する。
【００３６】
筐体３１は、胴部３２と、第１流入部３２ａと、第２流入部３２ｂと、流出部３２ｃと、を有している。
【００３７】
胴部３２は、ガス加熱部Ｅ３を収容可能な円筒状に形成されている。第１流入部３２ａは、胴部３２の一方側の端部に設けられており、ガスを胴部３２内に流入させる。第２流入部３２ｂは、胴部３２の他方側の端部に設けられており、ガスを胴部３２内に流入させる。流出部３２ｃは、胴部３２のうち一方側の端部と他方側の端部との間の部位に設けられており、ガスを胴部３２から流出させる。
【００３８】
胴部３２の一方側の端部には、互いに仕切板３５で仕切られた入口室３６及び出口室３７が接続されている。入口室３６及び出口室３７は、それぞれガス加熱部Ｅ３内と連通している。胴部３２の他方側の端部には、折り返し室３８が接続されている。折り返し室３８は、ガス加熱部Ｅ３内と連通している。すなわち、ガス加熱部Ｅ３は、いわゆる２パス方式である。
【００３９】
図２に示されるように、加温器３０は、収容部１０の上部に載置される。本実施形態では、胴部３２の長さＬ３の胴部３２の径Ｄ３に対する割合Ｌ３／Ｄ３は、５以上１０以下に設定されている。胴部３２の径Ｄ３の収容部１０の径Ｄ１に対する割合Ｄ３／Ｄ１は、０．５以下に設定されている。収容部１０の長さＬ１の胴部３２の長さＬ３に対する割合Ｌ１／Ｌ３は、０．８以上１．３以下に設定されている。
【００４０】
第１熱源媒体供給流路４１は、中間媒体蒸発部Ｅ１へ熱源媒体を供給する流路である。第１熱源媒体供給流路４１は、収容部１０に接続された入口室２１に接続されている。第１熱源媒体供給流路４１には、開度調整が可能な第１開閉弁Ｖ１が設けられている。
【００４１】
第２熱源媒体供給流路４２は、ガス加熱部Ｅ３へ熱源媒体を供給する流路である。第２熱源媒体供給流路４２は、胴部３２に接続された入口室３６に接続されている。第２熱源媒体供給流路４２には、開度調整が可能な第２開閉弁Ｖ２が設けられている。
【００４２】
本実施形態では、共通供給流路４０と、熱源媒体合流流路４３と、をさらに備えている。
【００４３】
共通供給流路４０は、第１熱源媒体供給流路４１と第２熱源媒体供給流路４２とに熱源媒体を供給する流路である。共通供給流路４０には、熱源媒体の流量を調整可能な流量調整部（開閉弁、流量計等）が設けられている。各開閉弁Ｖ１，Ｖ２の開度は、共通供給流路４０から第１熱源媒体供給流路４１へ分岐した熱源媒体の流量と熱源媒体合流流路４３を通じて第１熱源媒体供給流路４１に合流した熱源媒体の流量とをあわせた量の、共通供給流路４０から第２熱源媒体供給流路４２へ分岐した熱源媒体の流量に対する割合、すなわち、中間媒体蒸発部Ｅ１への熱源媒体の供給量のガス加熱部Ｅ３への熱源媒体の供給量に対する供給割合が、３以上５以下となるように設定されている。
【００４４】
なお、各開閉弁Ｖ１，Ｖ２は、予め開度が設定されており取替可能な制限オリフィスであってもよい。
【００４５】
熱源媒体合流流路４３は、ガス加熱部Ｅ３から流出した熱源媒体を第１熱源媒体供給流路４１に合流させる流路である。具体的に、熱源媒体合流流路４３の上流側の端部は、胴部３２に接続された出口室３７に接続されている。熱源媒体合流流路４３の下流側の端部は、第１熱源媒体供給流路４１のうち第１開閉弁Ｖ１と入口室２１との間の部位に接続されている。なお、熱源媒体合流流路４３の下流側の端部は、直接入口室２１に接続されてもよい。
【００４６】
ガス流路５０は、低温液化ガス気化部Ｅ２から流出したガスを筐体３１に導く流路である。ガス流路５０の上流側の端部は、収容部１０に接続された出口室２６に接続されている。本実施形態では、ガス流路５０の下流側の部位は、二股に分岐している。具体的に、ガス流路５０は、低温液化ガス気化部Ｅ２から流出したガスの一部（本実施形態では、半分）を第１流入部３２ａに供給する第１ガス流路５０ａと、低温液化ガス気化部Ｅ２から流出したガスの残部を第２流入部３２ｂに供給する第２ガス流路５０ｂと、を有している。第１ガス流路５０ａの下流側の端部は、第１流入部３２ａに接続されており、第２ガス流路５０ｂの下流側の端部は、第２流入部３２ｂに接続されている。
【００４７】
中間媒体式ガス気化器１が駆動されると、第１熱源媒体供給流路４１を通じて入口室２１に熱源媒体が供給されるとともに第２熱源媒体供給流路４２を通じて入口室３６に熱源媒体が供給される一方、入口室２５にＬＮＧが供給される。
【００４８】
入口室２１に供給された熱源媒体は、中間媒体蒸発部Ｅ１、折り返し室２３、中間媒体蒸発部Ｅ１、出口室２２をこの順に流れた後、外部に排出される。このとき、熱源媒体は、中間媒体蒸発部Ｅ１において、液相の中間媒体２を加熱し、これにより中間媒体２の少なくとも一部が蒸発する。入口室３６に供給された熱源媒体は、ガス加熱部Ｅ３、折り返し室３８、ガス加熱部Ｅ３、出口室３７をこの順に流れた後、熱源媒体合流流路４３を通じて第１熱源媒体供給流路４１に合流する。このとき、熱源媒体は、ガス加熱部Ｅ３において、ガス（ＮＧ）を加熱する。
【００４９】
一方、入口室２５に供給されたＬＮＧは、低温液化ガス気化部Ｅ２内を通過する過程で収容部１０内において気相の中間媒体２から熱を受けることによって気化する。低温液化ガス気化部Ｅ２から流出した低温のＮＧは、出口室２６及びガス流路５０を経由して筐体３１内に流入する。具体的に、出口室２６から流出した低温のＮＧの５０％は、第１ガス流路５０ａ及び第１流入部３２ａを介して胴部３２内に流入し、出口室２６から流出した低温のＮＧの残りの５０％は、第２ガス流路５０ｂ及び第２流入部３２ｂを介して胴部３２内に流入する。第１流入部３２ａから胴部３２内に流入した低温のＮＧ及び第２流入部３２ｂから胴部３２内に流入した低温のＮＧは、それぞれ、流出部３２ｃに向かう過程でガス加熱部Ｅ３内を流れる熱源媒体により加熱された後、流出部３２ｃから常温のＮＧとなって流出する。
【００５０】
以上に説明したように、本中間媒体式ガス気化器１では、第１熱源媒体供給流路４１及び第２熱源媒体供給流路４２によりガス加熱部Ｅ３及び中間媒体蒸発部Ｅ１に対して並列的に熱源媒体が供給されるので、筐体３１の小径化が可能となり、しかも、筐体３１内におけるガスの流路が分かれているので、ガス加熱部Ｅ３の振動が抑制される。具体的に、低温液化ガス気化部Ｅ２から流出したガスの約半分は、第１ガス流路５０ａ及び第１流入部３２ａから胴部３２内に流入してから流出部３２ｃに向かう一方、前記ガスの残りの約半分は、第２ガス流路５０ｂ及び第２流入部３２ｂから胴部内に流入してから流出部に向かうので、胴部３２の断面あたりのガスの流量が低減する。よって、低温液化ガス気化部Ｅ２から流出したガスの全量が一様に胴部３２内を流れる場合に比べ、胴部３２内を流れるガスのエネルギーが約４分の１となるので、ガス加熱部Ｅ３の振動が抑制される。
【００５１】
そして、ガス加熱部Ｅ３及び中間媒体蒸発部Ｅ１に対して並列的に熱源媒体が供給されることにより、ガス加熱部Ｅ３を構成する伝熱管の数が低減されるので、伝熱管の溶接箇所や管板の厚みの低減に起因して製造コストが大幅に削減される。
【００５２】
また、本実施形態では、各開閉弁Ｖ１，Ｖ２の開度は、前記供給割合が３以上５以下となるように設定されているので、筐体３１の小径化とガス加熱部Ｅ３の振動の抑止との双方が有効に達成される。
【００５３】
また、本実施形態では、熱源媒体合流流路４３を有しているので、中間媒体蒸発部Ｅ１への熱源媒体の供給量が確保される。このため、前記供給割合の範囲内においてガス加熱部Ｅ３への熱源媒体の供給量を増やすことができる。これにより、ガス加熱部Ｅ３において熱源媒体がガスに与える熱量が増加するので、ガス加熱部Ｅ３の伝熱面積を小さくする等ガス加熱部Ｅ３の設計自由度が向上する。
【００５４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５５】
例えば、図３に示されるように、胴部３２の一方側の端部に入口室３６ａが接続され、胴部３２の他方側の端部に出口室３７ａが接続されてもよい。つまり、ガス加熱部Ｅ３は、いわゆる１パス方式とされてもよい。このことは、中間媒体蒸発部Ｅ１についても同様である。
【００５６】
また、図４に示されるように、加温器３０は、収容部１０の側方に載置されてもよい。
【００５７】
また、図５に示されるように、筐体３１は、胴部３２と、胴部３２の一方側の端部に設けられた第１流出部３２ｄと、胴部３２の他方側の端部に設けられた第２流出部３２ｅと、胴部３２のうち一方側の端部と他方側の端部との間の部位に設けられた流入部３２ｆと、を有していてもよい。この場合、ガス流路５０の下流側の部位は、二股に分岐することなく流入部３２ｆに接続される。
【符号の説明】
【００５８】
１    中間媒体式ガス気化器
２    中間媒体
１０    収容部
３０    加温器
３１    筐体
３２    胴部
３２ａ  第１流入部
３２ｂ  第２流入部
３２ｃ  流出部
３５    仕切壁
３６    入口室
３７    出口室
３８    折り返し室
４０    共通供給流路
４１    第１熱源媒体供給流路
４２    第２熱源媒体供給流路
４３    熱源媒体合流流路
５０    ガス流路
５０ａ  第１ガス流路
５０ｂ  第２ガス流路
Ｅ１    中間媒体蒸発部
Ｅ２    低温液化ガス気化部
Ｅ３    ガス加熱部
Ｖ１    第１開閉弁
Ｖ２    第２開閉弁
【図１】
0006454628.tif 000002
【図２】
0006454628.tif 000003
【図３】
0006454628.tif 000004
【図４】
0006454628.tif 000005
【図５】
0006454628.tif 000006